【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
無線通信のための方法であって、
初期送信ランクにしたがって第１のコードワードと第２のコードワードとを送信することと、
前記第１のコードワードと前記第２のコードワードとのうち、再送信されるべき少なくとも１つのコードワードを示すダウンリンク送信を受信することと、ここで、前記ダウンリンク送信は、１または複数の物理ハイブリッド自動再送信要求インジケータ・チャネル（ＰＨＩＣＨ）を含む、
前記再送信されるべき少なくとも１つのコードワードとともに送信されるべき復調基準信号（ＤＭ−ＲＳ）を構築することと、ここで、前記ＤＭ−ＲＳは、前記ダウンリンク送信における情報に少なくとも部分的に基づいて構築される、
再送信ランクにしたがって、前記ＤＭ−ＲＳとともに、前記少なくとも１つのコードワードを再送信することと、
を備え、
異なるランクのために異なるＤＭ−ＲＳ構築ルールが使用される、方法。
【請求項２】
前記初期送信ランクと前記再送信ランクとは異なる、請求項１に記載の方法。
【請求項３】
前記１または複数のＰＨＩＣＨのうちの少なくとも１つは、前記再送信されるべき少なくとも１つのコードワードを示す否定的アクノレッジメント（ＮＡＣＫ）を含む、請求項１に記載の方法。
【請求項４】
前記構築することは、前記ＤＭ−ＲＳを、考慮される物理ダウンリンク制御チャネル（ＰＤＣＣＨ）許可における情報に少なくとも部分的に基づいて構築することを含む、請求項３に記載の方法。
【請求項５】
前記考慮されるＰＤＣＣＨ許可は、前記第１のコードワードおよび前記第２のコードワードの初期ＰＤＣＣＨ許可と、直近のＰＤＣＣＨ許可と、のうちの１つを含む、請求項４に記載の方法。
【請求項６】
前記ＤＭ−ＲＳは、前記考慮されるＰＤＣＣＨ許可における情報と、前記再送信ランクに関連付けられたルールとに少なくとも部分的に基づいて構築され、前記考慮されるＰＤＣＣＨ許可における情報は、サイクリック・シフトおよび直交カバー・コードのうちの１つを含む、請求項４に記載の方法。
【請求項７】
前記ダウンリンク送信を受信することは、前記再送信されるべき少なくとも１つのコードワードを示す物理ダウンリンク制御チャネル（ＰＤＣＣＨ）許可を受信することを含む、請求項１に記載の方法。
【請求項８】
前記構築することは、前記ＤＭ−ＲＳを、前記ＰＤＣＣＨ許可における情報に少なくとも部分的に基づいて構築することを含む、請求項７に記載の方法。
【請求項９】
前記１または複数のＰＨＩＣＨのうちの少なくとも１つは、前記再送信されるべき少なくとも１つのコードワードのためのアクノレッジメント（ＡＣＫ）を示す、請求項８に記載の方法。
【請求項１０】
前記ＰＤＣＣＨ許可における情報は、サイクリック・シフトおよび直交カバー・コードのうちの１つを含む、請求項８に記載の方法。
【請求項１１】
前記構築することは、前記ＤＭ−ＲＳを、前記再送信ランクに関連付けられたルールにしたがって構築することを含む、請求項８に記載の方法。
【請求項１２】
無線通信のための装置であって、
初期送信ランクにしたがって第１のコードワードと第２のコードワードとを送信する手段と、
前記第１のコードワードと前記第２のコードワードとのうち、再送信されるべき少なくとも１つのコードワードを示すダウンリンク送信を受信する手段と、ここで、前記ダウンリンク送信は、１または複数の物理ハイブリッド自動再送信要求インジケータ・チャネル（ＰＨＩＣＨ）を含む、
前記再送信されるべき少なくとも１つのコードワードとともに送信されるべき復調基準信号（ＤＭ−ＲＳ）を構築する手段と、ここで、前記ＤＭ−ＲＳは、前記ダウンリンク送信における情報に少なくとも部分的に基づいて構築される、
再送信ランクにしたがって、前記ＤＭ−ＲＳとともに、前記少なくとも１つのコードワードを再送信する手段と、
を備え、
異なるランクのために異なるＤＭ−ＲＳ構築ルールが使用される、装置。
【請求項１３】
前記初期送信ランクと前記再送信ランクとは異なる、請求項１２に記載の装置。
【請求項１４】
前記１または複数のＰＨＩＣＨのうちの少なくとも１つは、前記再送信されるべき少なくとも１つのコードワードを示す否定的アクノレッジメント（ＮＡＣＫ）を含む、請求項１２に記載の装置。
【請求項１５】
前記構築する手段は、前記ＤＭ−ＲＳを、考慮される物理ダウンリンク制御チャネル（ＰＤＣＣＨ）許可における情報に少なくとも部分的に基づいて構築する手段を含む、請求項１４に記載の装置。
【請求項１６】
前記考慮されるＰＤＣＣＨ許可は、前記第１のコードワードおよび前記第２のコードワードの初期ＰＤＣＣＨ許可と、直近のＰＤＣＣＨ許可と、のうちの１つを含む、請求項１５に記載の装置。
【請求項１７】
前記ＤＭ−ＲＳは、前記考慮されるＰＤＣＣＨ許可における情報と、前記再送信ランクに関連付けられたルールとに少なくとも部分的に基づいて構築され、前記考慮されるＰＤＣＣＨ許可における情報は、サイクリック・シフトおよび直交カバー・コードのうちの１つを含む、請求項１５に記載の装置。
【請求項１８】
前記ダウンリンク送信を受信する手段は、前記再送信されるべき少なくとも１つのコードワードを示す物理ダウンリンク制御チャネル（ＰＤＣＣＨ）許可を受信する手段を含む、請求項１２に記載の装置。
【請求項１９】
前記構築する手段は、前記ＤＭ−ＲＳを、前記ＰＤＣＣＨ許可における情報に少なくとも部分的に基づいて構築する手段を含む、請求項１８に記載の装置。
【請求項２０】
前記１または複数のＰＨＩＣＨのうちの少なくとも１つは、前記再送信されるべき少なくとも１つのコードワードのためのアクノレッジメント（ＡＣＫ）を示す、請求項１９に記載の装置。
【請求項２１】
前記ＰＤＣＣＨ許可における情報は、サイクリック・シフトおよび直交カバー・コードのうちの１つを含む、請求項１９に記載の装置。
【請求項２２】
前記構築する手段は、前記ＤＭ−ＲＳを、前記再送信ランクに関連付けられたルールにしたがって構築する手段を含む、請求項１９に記載の装置。
【請求項２３】
無線通信のための装置であって、
初期送信ランクにしたがって第１のコードワードと第２のコードワードとを送信し、
前記第１のコードワードと前記第２のコードワードとのうち、再送信されるべき少なくとも１つのコードワードを示すダウンリンク送信を受信し、ここで、前記ダウンリンク送信は、１または複数の物理ハイブリッド自動再送信要求インジケータ・チャネル（ＰＨＩＣＨ）を含む、
前記再送信されるべき少なくとも１つのコードワードとともに送信されるべき復調基準信号（ＤＭ−ＲＳ）を構築し、ここで、前記ＤＭ−ＲＳは、前記ダウンリンク送信における情報に少なくとも部分的に基づいて構築される、
再送信ランクにしたがって、前記ＤＭ−ＲＳとともに、前記少なくとも１つのコードワードを再送信する
ように構成された少なくとも１つのプロセッサと、
前記少なくとも１つのプロセッサに接続されたメモリと、
を備え、
異なるランクのために異なるＤＭ−ＲＳ構築ルールが使用される、装置。
【請求項２４】
前記初期送信ランクと前記再送信ランクとは異なる、請求項２３に記載の装置。
【請求項２５】
前記１または複数のＰＨＩＣＨのうちの少なくとも１つは、前記再送信されるべき少なくとも１つのコードワードを示す否定的アクノレッジメント（ＮＡＣＫ）を含む、請求項２３に記載の装置。
【請求項２６】
前記ＤＭ−ＲＳは、考慮される物理ダウンリンク制御チャネル（ＰＤＣＣＨ）許可における情報に少なくとも部分的に基づいて構築される、請求項２５に記載の装置。
【請求項２７】
前記考慮されるＰＤＣＣＨ許可は、前記第１のコードワードおよび前記第２のコードワードの初期ＰＤＣＣＨ許可と、直近のＰＤＣＣＨ許可と、のうちの１つを含む、請求項２６に記載の装置。
【請求項２８】
前記ＤＭ−ＲＳは、前記考慮されるＰＤＣＣＨ許可における情報と、前記再送信ランクに関連付けられたルールとに少なくとも部分的に基づいて構築され、前記考慮されるＰＤＣＣＨ許可における情報は、サイクリック・シフトおよび直交カバー・コードのうちの１つを含む、請求項２６に記載の装置。
【請求項２９】
初期送信ランクにしたがって第１のコードワードと第２のコードワードとを送信するための命令群と、
前記第１のコードワードと前記第２のコードワードとのうち、再送信されるべき少なくとも１つのコードワードを示すダウンリンク送信を受信するための命令群と、ここで、前記ダウンリンク送信は、１または複数の物理ハイブリッド自動再送信要求インジケータ・チャネル（ＰＨＩＣＨ）を含む、
前記再送信されるべき少なくとも１つのコードワードとともに送信されるべき復調基準信号（ＤＭ−ＲＳ）を構築するための命令群と、ここで、前記ＤＭ−ＲＳは、前記ダウンリンク送信における情報に少なくとも部分的に基づいて構築される、
再送信ランクにしたがって、前記ＤＭ−ＲＳとともに、前記少なくとも１つのコードワードを再送信するための命令群と、
を記憶しており、
異なるランクのために異なるＤＭ−ＲＳ構築ルールが使用される、コンピュータ読取可能な記憶媒体。
【請求項３０】
前記１または複数のＰＨＩＣＨのうちの少なくとも１つは、前記再送信されるべき少なくとも１つのコードワードを示す否定的アクノレッジメント（ＮＡＣＫ）を含み、前記ＤＭ−ＲＳは、考慮される物理ダウンリンク制御チャネル（ＰＤＣＣＨ）許可における情報に少なくとも部分的に基づいて構築される、請求項２９に記載のコンピュータ読取可能な記憶媒体。
【請求項３１】
前記考慮されるＰＤＣＣＨ許可は、前記第１のコードワードおよび前記第２のコードワードの初期ＰＤＣＣＨ許可と、直近のＰＤＣＣＨ許可と、のうちの１つを含み、
前記ＤＭ−ＲＳは、前記考慮されるＰＤＣＣＨ許可における情報と、前記再送信ランクに関連付けられたルールとに少なくとも部分的に基づいて構築され、
前記考慮されるＰＤＣＣＨ許可における情報は、サイクリック・シフトおよび直交カバー・コードのうちの１つを含む、
請求項３０に記載のコンピュータ読取可能な記憶媒体。
【請求項３２】
前記ダウンリンク送信は、前記再送信されるべき少なくとも１つのコードワードを示す物理ダウンリンク制御チャネル（ＰＤＣＣＨ）許可を含み、
前記ＤＭ−ＲＳは、前記ＰＤＣＣＨ許可における情報に少なくとも部分的に基づいて構築され、
前記１または複数のＰＨＩＣＨのうちの少なくとも１つは、前記再送信されるべき少なくとも１つのコードワードのためのアクノレッジメント（ＡＣＫ）を示す、
請求項２９に記載のコンピュータ読取可能な記憶媒体。
【請求項３３】
無線通信のための方法であって、
初期送信ランクにしたがって第１のコードワードと第２のコードワードとを受信することと、
前記第１のコードワードと前記第２のコードワードとのうち、再送信されるべき少なくとも１つのコードワードを示すダウンリンク送信を送信することと、ここで、前記ダウンリンク送信は、１または複数の物理ハイブリッド自動再送信要求インジケータ・チャネル（ＰＨＩＣＨ）を含む、
再送信ランクにしたがって、復調基準信号（ＤＭ−ＲＳ）とともに再送信された前記少なくとも１つのコードワードを受信することと、ここで、前記ＤＭ−ＲＳは、前記ダウンリンク送信における情報に少なくとも部分的に基づく、
を備え、
異なるランクのために異なるＤＭ−ＲＳ構築ルールが使用される、方法。
【請求項３４】
前記初期送信ランクと前記再送信ランクとは異なる、請求項３３に記載の方法。
【請求項３５】
前記１または複数のＰＨＩＣＨのうちの少なくとも１つは、前記再送信されるべき少なくとも１つのコードワードを示す否定的アクノレッジメント（ＮＡＣＫ）を含む、請求項３３に記載の方法。
【請求項３６】
前記ＤＭ−ＲＳは、考慮される物理ダウンリンク制御チャネル（ＰＤＣＣＨ）許可における情報に少なくとも部分的に基づく、請求項３５に記載の方法。
【請求項３７】
前記考慮されるＰＤＣＣＨ許可は、前記第１のコードワードおよび前記第２のコードワードの初期ＰＤＣＣＨ許可と、直近のＰＤＣＣＨ許可と、のうちの１つを含む、請求項３６に記載の方法。
【請求項３８】
前記ＤＭ−ＲＳは、前記考慮されるＰＤＣＣＨ許可における情報と、前記再送信ランクに関連付けられたルールとに少なくとも部分的に基づき、
前記考慮されるＰＤＣＣＨ許可における情報は、前記ＤＭ−ＲＳのためのサイクリック・シフトおよび直交カバー・コードのうちの１つを含む、
請求項３６に記載の方法。
【請求項３９】
前記ダウンリンク送信を送信することは、前記再送信されるべき少なくとも１つのコードワードを示す物理ダウンリンク制御チャネル（ＰＤＣＣＨ）許可を送信することを含む、請求項３３に記載の方法。
【請求項４０】
前記ＤＭ−ＲＳは、前記ＰＤＣＣＨ許可における情報に少なくとも部分的に基づく、請求項３９に記載の方法。
【請求項４１】
前記１または複数のＰＨＩＣＨのうちの少なくとも１つは、ＵＥによって前記再送信されるべき少なくとも１つのコードワードのためのアクノレッジメント（ＡＣＫ）を示す、請求項４０に記載の方法。
【請求項４２】
前記ＰＤＣＣＨ許可における情報は、前記ＤＭ−ＲＳのためのサイクリック・シフトと直交カバー・コードとのうちの１つを含む、請求項４０に記載の方法。
【請求項４３】
前記ＤＭ−ＲＳは、前記再送信ランクに関連付けられたルールに少なくとも部分的に基づく、請求項４０に記載の方法。
【請求項４４】
無線通信のための装置であって、
初期送信ランクにしたがって第１のコードワードと第２のコードワードとを受信する手段と、
前記第１のコードワードと前記第２のコードワードとのうち、再送信されるべき少なくとも１つのコードワードを示すダウンリンク送信を送信する手段と、ここで、前記ダウンリンク送信は、１または複数の物理ハイブリッド自動再送信要求インジケータ・チャネル（ＰＨＩＣＨ）を含む、
再送信ランクにしたがって、復調基準信号（ＤＭ−ＲＳ）とともに再送信された前記少なくとも１つのコードワードを受信する手段と、ここで、前記ＤＭ−ＲＳは、前記ダウンリンク送信における情報に少なくとも部分的に基づく、
を備え、
異なるランクのために異なるＤＭ−ＲＳ構築ルールが使用される、装置。
【請求項４５】
前記初期送信ランクと前記再送信ランクとは異なる、請求項４４に記載の装置。
【請求項４６】
前記１または複数のＰＨＩＣＨのうちの少なくとも１つは、前記再送信されるべき少なくとも１つのコードワードを示す否定的アクノレッジメント（ＮＡＣＫ）を含む、請求項４４に記載の装置。
【請求項４７】
前記ＤＭ−ＲＳは、考慮される物理ダウンリンク制御チャネル（ＰＤＣＣＨ）許可における情報に少なくとも部分的に基づく、請求項４６に記載の装置。
【請求項４８】
前記考慮されるＰＤＣＣＨ許可は、前記第１のコードワードおよび前記第２のコードワードの初期ＰＤＣＣＨ許可と、直近のＰＤＣＣＨ許可と、のうちの１つを含む、請求項４７に記載の装置。
【請求項４９】
前記ＤＭ−ＲＳは、前記考慮されるＰＤＣＣＨ許可における情報と、前記再送信ランクに関連付けられたルールとに少なくとも部分的に基づき、
前記考慮されるＰＤＣＣＨ許可における情報は、前記ＤＭ−ＲＳのためのサイクリック・シフトおよび直交カバー・コードのうちの１つを含む、
請求項４７に記載の装置。
【請求項５０】
前記ダウンリンク送信を送信する手段は、前記再送信されるべき少なくとも１つのコードワードを示す物理ダウンリンク制御チャネル（ＰＤＣＣＨ）許可を送信する手段を含む、請求項４４に記載の装置。
【請求項５１】
前記ＤＭ−ＲＳは、前記ＰＤＣＣＨ許可における情報に少なくとも部分的に基づく、請求項５０に記載の装置。
【請求項５２】
前記１または複数のＰＨＩＣＨのうちの少なくとも１つは、前記再送信されるべき少なくとも１つのコードワードのためのアクノレッジメント（ＡＣＫ）を示す、請求項５１に記載の装置。
【請求項５３】
前記ＰＤＣＣＨ許可における情報は、サイクリック・シフトおよび直交カバー・コードのうちの１つを含む、請求項５１に記載の装置。
【請求項５４】
前記ＤＭ−ＲＳは、前記再送信ランクに関連付けられたルールに少なくとも部分的に基づく、請求項５１に記載の装置。
【請求項５５】
無線通信のための装置であって、
初期送信ランクにしたがって第１のコードワードと第２のコードワードとを受信し、
前記第１のコードワードと前記第２のコードワードとのうち、再送信されるべき少なくとも１つのコードワードを示すダウンリンク送信を送信し、ここで、前記ダウンリンク送信は、１または複数の物理ハイブリッド自動再送信要求インジケータ・チャネル（ＰＨＩＣＨ）を含む、
再送信ランクにしたがって、復調基準信号（ＤＭ−ＲＳ）とともに再送信された前記少なくとも１つのコードワードを受信し、ここで、前記ＤＭ−ＲＳは、前記ダウンリンク送信における情報に少なくとも部分的に基づく、
ように構成された少なくとも１つのプロセッサと、
前記少なくとも１つのプロセッサに接続されたメモリと、
を備え、
異なるランクのために異なるＤＭ−ＲＳ構築ルールが使用される、装置。
【請求項５６】
前記１または複数のＰＨＩＣＨのうちの少なくとも１つは、前記再送信されるべき少なくとも１つのコードワードを示す否定的アクノレッジメント（ＮＡＣＫ）を含み、
前記ＤＭ−ＲＳは、考慮される物理ダウンリンク制御チャネル（ＰＤＣＣＨ）許可における情報に少なくとも部分的に基づく、
請求項５５に記載の装置。
【請求項５７】
前記考慮されるＰＤＣＣＨ許可は、前記第１のコードワードおよび前記第２のコードワードの初期ＰＤＣＣＨ許可と、直近のＰＤＣＣＨ許可と、のうちの１つを含み、
前記ＤＭ−ＲＳは、前記考慮されるＰＤＣＣＨ許可における情報と、前記再送信ランクに関連付けられたルールとに少なくとも部分的に基づき、
前記考慮されるＰＤＣＣＨ許可における情報は、前記ＤＭ−ＲＳのためのサイクリック・シフトと直交カバー・コードとのうちの１つを含む、
請求項５６に記載の装置。
【請求項５８】
前記ダウンリンク送信は、前記再送信されるべき少なくとも１つのコードワードを示す物理ダウンリンク制御チャネル（ＰＤＣＣＨ）許可を含み、
前記ＤＭ−ＲＳは、前記ＰＤＣＣＨ許可における情報に少なくとも部分的に基づき、
前記１または複数のＰＨＩＣＨのうちの少なくとも１つは、前記再送信されるべき少なくとも１つのコードワードのためのアクノレッジメント（ＡＣＫ）を示す、
請求項５５に記載の装置。
【請求項５９】
初期送信ランクにしたがって、少なくとも、第１のコードワードと第２のコードワードとを受信するための命令群と、
前記第１のコードワードと前記第２のコードワードとのうち、再送信されるべき少なくとも１つのコードワードを示すダウンリンク送信を送信するための命令群と、ここで、前記ダウンリンク送信は、１または複数の物理ハイブリッド自動再送信要求インジケータ・チャネル（ＰＨＩＣＨ）を備える、
再送信ランクにしたがって、復調基準信号（ＤＭ−ＲＳ）とともに再送信された前記少なくとも１つのコードワードを受信するための命令群と、ここで、前記ＤＭ−ＲＳは、前記ダウンリンク送信における情報に少なくとも部分的に基づく、
を記憶しており、
異なるランクのために異なるＤＭ−ＲＳ構築ルールが使用される、コンピュータ読取可能な記憶媒体。
【請求項６０】
前記１または複数のＰＨＩＣＨのうちの少なくとも１つは、前記再送信されるべき少なくとも１つのコードワードを示す否定的アクノレッジメント（ＮＡＣＫ）を含み、
前記ＤＭ−ＲＳは、考慮される物理ダウンリンク制御チャネル（ＰＤＣＣＨ）許可における情報に少なくとも部分的に基づく、
請求項５９に記載のコンピュータ読取可能な記憶媒体。
【請求項６１】
前記考慮されるＰＤＣＣＨ許可は、前記第１のコードワードおよび前記第２のコードワードの初期ＰＤＣＣＨ許可と、直近のＰＤＣＣＨ許可と、のうちの１つを含み、
前記ＤＭ−ＲＳは、前記考慮されるＰＤＣＣＨ許可における情報と、前記再送信ランクに関連付けられたルールとに少なくとも部分的に基づき、
前記考慮されるＰＤＣＣＨ許可における情報は、前記ＤＭ−ＲＳのためのサイクリック・シフトおよび直交カバー・コードのうちの１つを含む、
請求項６０に記載のコンピュータ読取可能な記憶媒体。
【請求項６２】
前記ダウンリンク送信は、前記再送信されるべき少なくとも１つのコードワードを示す物理ダウンリンク制御チャネル（ＰＤＣＣＨ）許可を含み、
前記ＤＭ−ＲＳは、前記ＰＤＣＣＨ許可における情報に少なくとも部分的に基づき、
前記１または複数のＰＨＩＣＨのうちの少なくとも１つは、前記再送信されるべき少なくとも１つのコードワードのためのアクノレッジメント（ＡＣＫ）を示す、
請求項５９に記載のコンピュータ読取可能な記憶媒体。